(57)【特許請求の範囲】
【請求項１】
光学要素と、前記光学要素を操作するための操作リングと、前記操作リングを駆動する駆動部とを有するレンズ装置であって、
前記駆動部の駆動を制御する制御信号を送信するための第１の操作部と、
前記駆動部の駆動を制御する制御信号を送信するための第２の操作部を有し、前記第１の操作部を覆うように前記レンズ装置に装着可能な、前記レンズ装置を保持するためのグリップ部を着脱する着脱構造と、
を有することを特徴とするレンズ装置。
【請求項２】
前記光学要素はズームレンズであることを特徴とする請求項１に記載のレンズ装置。
【請求項３】
前記第１の操作部は、押圧部を有し、該押圧部を押圧されることにより制御信号を出力することを特徴とする請求項１または２に記載のレンズ装置。
【請求項４】
前記第１の操作部は、押圧されることにより、前記操作リングよりも径方向外側に備えられたスイッチを押圧することを特徴とする請求項１乃至３のいずれか１項に記載のレンズ装置。
【請求項５】
前記グリップ部の装着によって前記第１の操作部の操作を無効とすることを特徴とする請求項１乃至４のいずれか１項に記載のレンズ装置。
【請求項６】
前記グリップ部と前記駆動部との通信が確立したことの認識に応じて前記第１の操作部の操作を無効とすることを特徴とする請求項１乃至５のいずれか１項に記載のレンズ装置。
【請求項７】
請求項１乃至６のいずれか１項に記載のレンズ装置と、
前記レンズ装置によって形成された光学像を受光する撮像素子と、
を有することを特徴とする撮像装置。
【発明の詳細な説明】
【技術分野】
【０００１】
本発明はレンズ装置及びそれを有する撮像装置に関するものである。
【背景技術】
【０００２】
レンズとカメラを含むレンズ装置を保持する構造について、撮影者にとって最適な保持形態を得るための構造が特許文献１、特許文献２によって提案されている。特許文献１では、動画や静止画等の撮影の用途に応じた最適な保持形態を得るために、グリップを交換式としたレンズ装置が提案されている。また、特許文献２では、レンズ装置を保持する保持位置を撮影者にとって最適な位置に調整するための保持位置調整構造が提案されている。
【先行技術文献】
【特許文献】
【０００３】
【特許文献１】特開２００７−１０４３１６号公報
【特許文献２】特開平５−２０７３４７号公報
【発明の概要】
【発明が解決しようとする課題】
【０００４】
特許文献１によると、動画用のグリップにおいてのみズームの電動操作を行うため、グリップが交換されてしまうと、ズームの電動操作が行えないという課題がある。また、特許文献２では、レンズ装置を肩に担いだ際の保持部位置を調整するものであり、レンズ装置を下から支える位置で保持する撮影形態に対して最適なシーソースイッチ操作位置を得ることは困難である。
【０００５】
本発明の目的は、例えば、光学要素の駆動の操作に有利なレンズ装置を提供することである。
【課題を解決するための手段】
【０００６】
上記目的を達成するために、本発明のレンズ装置は、光学要素と、前記光学要素を操作するための操作リングと、前記操作リングを駆動する駆動部とを有するレンズ装置であって、前記駆動部の駆動を制御する制御信号を送信するための第１の操作部と、前記駆動部の駆動を制御する制御信号を送信するための第２の操作部を有し、前記第１の操作部を覆うように前記レンズ装置に装着可能な、前記レンズ装置を保持するためのグリップ部を着脱する着脱構造と、を有することを特徴とする。
【発明の効果】
【０００７】
本発明によれば、例えば、光学要素の駆動の操作に有利なレンズ装置を提供することができる。
【図面の簡単な説明】
【０００８】
【図１】本発明の実施例１におけるレンズ装置の全体図である。
【図２】本発明の実施例１におけるレンズ装置の部分断面図である。
【図３】本発明の実施例１におけるレンズ装置の正面図である。
【図４】本発明の実施例１におけるレンズ装置のグリップ装着図である。
【図５】本発明の実施例１におけるレンズ装置のグリップ着脱構造を示した図である。
【図６】本発明の実施例２におけるレンズ装置の背面図を示したものである。
【図７】本発明の実施例２におけるレンズ装置の右側面図を示したものである。
【図８】本発明の実施例２におけるフローチャートである。
【発明を実施するための形態】
【０００９】
以下に、添付図面を参照して、本発明の実施例について説明する。
【実施例１】
【００１０】
図１から図５を参照しながら、本実施例の撮影装置について説明する。図１は本実施例における撮影装置の全体図を示す。レンズ装置１ａは、鏡筒の外周に配置され、フォーカスレンズ、ズームレンズ、アイリス等の光学要素をマニュアル操作するための光軸まわりに回転するフォーカス操作リング２、ズーム操作リング３、アイリス操作リング４を有する。レンズ装置１ａは、マウント５（図５、６参照）を介して、レンズ装置によって形成された被写体の光学像を受光するＣＣＤやＣＭＯＳなどの撮像素子を有するカメラ装置５０ａと着脱可能な状態で接続する。カメラ装置５０ａの背面には、撮影した映像を表示するためのディスプレー５１を有する。また、カメラ装置５０ａを保持するためのカメラグリップ５２がカメラ装置５０ａの側面に固定されている。
【００１１】
図２は、レンズ装置１ａにビス等で固定しているサーボ部２０ａをレンズ装置１ａのマウント５側からみた部分断面図を示している。破線で示しているズームモータ（ズーム駆動部）２４は、ズームモータ固定部２７に保持され、サーボ部２０ａの内部に固定する。ズームモータ２４の回転軸先端にはモータギア２５が接続され、アイドラギア２６を介して、ズーム操作リング３の外周に形成されているギア部と噛み合うことで、ズームモータ２４の回転力をズーム操作リング３に伝える。ズームモータ２４は、制御基板２３と電気的に接続し、制御基板に構成されている制御部により回転が制御される。
【００１２】
ゴム等の弾性部材から構成されるズーム操作部（操作部）２１ａ、２１ｂ（図１、２）が、サーボ部２０ａの外装面から操作可能に構成されている。撮影者は、ズーム操作部２１ａ、２１ｂを押すことで、サーボ部２０ａ内で、ズーム操作リング３よりも径方向外側に備えられた固定部材２８に固定している制御基板２３に実装されたスイッチ（押圧部）２２を押圧し、スイッチを切り替える。例えば、ズーム操作部２１ａを押すとワイド側、ズーム操作部２１ｂを押すとテレ側にズームモータ２４が回転する制御を実施する。不図示の設定切替え部によってズーム操作部の設定を切り替え、ズーム操作の方向を逆にすることも可能である。
【００１３】
図３は、撮影装置を被写体側から見た正面図である。図の撮影形態は、撮影者右手６０がカメラグリップ５２を、撮影者左手６１がサーボ部２０ａの下を支える形態であり、ディスプレー５１を見ながら両手で抱える手持ち撮影形態となっている。撮影者は、撮影者左手６１でズーム操作部２１ａ、２１ｂを操作することで、ズームを電動操作する。また、撮影者左手６１はサーボ部２０ａの下面を支えているため、各操作リングに触れにくく、誤操作を防止できる。なお、マニュアル操作をする場合には、サーボ部２０ａの下面を支えたまま撮影者左手６１の親指等で操作リングを操作することも可能である。
【００１４】
図４は、レンズ装置１ａにグリップ部３０ａを装着した図である。レンズ装置１ａはマウント５を介してカメラ装置５０ｂと接続している。図４で示した撮影形態は、カメラ装置５０ｂの下面に構成されているショルダーパッド部５３を撮影者の肩に載せ、グリップ部３０ａを撮影者右手６０で保持する肩担ぎ撮影形態である。グリップ部３０ａには、撮影者右手６０をホールドするための甲当て部３５がストラップにより固定され、シーソースイッチ（第２の操作部）３４が操作部表面に露出した状態で固定されている。シーソースイッチ３４は、スイッチの傾斜角に応じて出力信号が変化する抵抗体となっている。撮影者は、撮影者右手６０の指にてシーソースイッチ３４の傾斜角を変更することにより、電動ズーム操作を行う。
【００１５】
図５は、レンズ装置１ａとグリップ部３０ａの着脱構造を示している。グリップ部３０ａには、固定ネジ３１があり、レンズ装置１ａ側のグリップ固定ネジ部６（図１参照）へ締め込むことでグリップ部３０ａをレンズ装置１ａに固定する。グリップ部３０ａ側のレンズ固定テーパ部３２の面とレンズ装置１ａ側のグリップ固定テーパ部７の各面が接することでグリップ部３０ａを固定した際の回転を規制している。また、グリップ部３０ａ固定時には、グリップ部３０ａにあるレンズ通信接点部３３とレンズ装置１ａ側にあるグリップ通信接点部８が接続することで、シーソースイッチ３４や録画スイッチ３６の制御信号をレンズ装置１ａへ送信する。
【００１６】
以上のように、本発明によれば、撮影用途に応じてグリップ部３０ａを着脱することで、手持ち撮影形態と肩担ぎ撮影形態の双方に最適な保持状態を実現できるとともに、どちらの撮影形態においても電動ズーム操作を最適な保持状態で操作できる。本実施例では、グリップ部３０ａを装着するとズーム操作部２１ａ、２１ｂが隠れるため、肩担ぎ撮影形態においてズーム操作部２１ａ、２１ｂを誤操作することがない。本発明ではズーム操作部２１ａ、２１ｂを独立したスイッチ構造としたが、グリップ部３０ａ同様のシーソースイッチ３４としても良い。また、ズーム操作部２１ａ、２１ｂはズーム駆動制御の操作としたが、フォーカスやアイリスなどのレンズ装置に関わる駆動系の操作を対象としても良い。
【実施例２】
【００１７】
図６〜８を参照しながら本実施例の撮影装置について説明する。図６は、本実施例におけるレンズ装置の撮像面側から見た図であり、図７は、レンズ装置の右側面図を示したものである。本実施例のレンズ装置１ｂは、基本的な構成は図１に示した第１の実施例のレンズ装置と同等の構成を有するが、特徴的な構成として通信ケーブル３７を有する。通信ケーブル３７は、実施例１で示した通信接点部に代わるものであり、グリップ部３０ｂに固定され、ケーブル先端にあるコネクタ３８を介してサーボ部２０ｂと接続され、サーボ部２０ｂとグリップ部３０ｂとの間での通信を可能とする。実施例１同様に、肩担ぎ撮影形態において、撮影者はシーソースイッチ３４を操作することで電動ズーム操作を行う。
【００１８】
次に、グリップ部３０ｂの装着有無によってズーム操作部２１ａ、２１ｂの機能を選択する処理について図８のフローチャートを参照して説明する。
【００１９】
Ｓ１０１はグリップ部３０ｂがサーボ部２０ｂに接続されたかを判断する処理であり、接続されている場合はＳ１０２の処理へ、接続されていない場合はＳ１０３の処理へ選択する。Ｓ１０２は通信ケーブル３７が接続されたときの処理であり、サーボ部２０ｂにあるズーム操作部２１ａ、２１ｂの操作時の制御を無効とする。Ｓ１０３は通信ケーブル３７が接続されていない場合の処理でありズーム操作部２１ａ、２１ｂの操作時の制御を有効とする。すなわち、通信ケーブル３７によるグリップ部３０ｂがサーボ部２０ｂ間の通信が確立したことが、不図示の通信制御部又は制御部（接続認識部）によって認識された場合に、グリップ部３０ｂがサーボ部２０ｂに接続されたと判断している。
【００２０】
なお、上記処理は、サーボ部２０ｂ内にある制御基板２３上にある不図示のＣＰＵにて処理されるものである。ここで、グリップ部３０ｂは、通信ケーブル３７によって通信が行われるため、レンズ装置１ｂから外した状態においてもシーソースイッチ３４の操作が行える。そのため、例えばグリップ固定テーパ部７と同構造を持つ三脚等のアクセサリーに取り付けることが可能となる。その際、上記処理Ｓ１０２において、ズーム操作部２１ａ、２１ｂの機能を無効としているため、グリップ部３０ｂにズーム操作部２１ａ、２１ｂが隠れずに露出する場合においても誤操作を防止できる。本実施例では、通信ケーブル３７による通信について説明したが、一般的なワイヤレス通信を用いても良い。また、本実施例ではＳ１０２においてズーム操作部２１ａ、２１ｂの機能を無効としているが、Ｓ１０２においてフォーカス駆動やアイリス駆動といったズームと異なる駆動部を制御する制御信号を出力しても良い。
【００２１】
以上のように本発明によれば、実施例１と同様にグリップ部３０ｂを着脱することで、手持ち撮影形態と肩担ぎ撮影形態に最適な保持状態を実現できるとともに、どちらの撮影形態においても電動ズーム操作を最適な保持状態で操作できる。また、通信ケーブル３７による通信とすることで、グリップ部３０ｂを任意の位置に固定することができる。
以上、本発明の好ましい実施形態について説明したが、本発明のこれらの実施形態に限定されず、その要旨の範囲で種々の変形および変更が可能である。
【符号の説明】
【００２２】
１ａ、１ｂ  レンズ装置
６  グリップ固定ネジ部（着脱構造）
７  グリップ固定テーパ部（着脱構造）
２１ａ、２１ｂ  ズーム操作部（操作部）
３０ａ、３０ｂ  グリップ部
【図１】
0006659137.tif 000002
【図２】
0006659137.tif 000003
【図３】
0006659137.tif 000004
【図４】
0006659137.tif 000005
【図５】
0006659137.tif 000006
【図６】
0006659137.tif 000007
【図７】
0006659137.tif 000008
【図８】
0006659137.tif 000009